(57)【特許請求の範囲】
【請求項１】
フェースライン近傍の皮下脂肪層の厚さを測定し、該皮下脂肪層の厚さが１０ｍｍ以上であるか、または１０ｍｍ未満であるかを指標とする、顎から首筋にかけてのフェースラインの美しさの鑑別法。
【請求項２】
皮下脂肪層の厚さが５〜３０メガヘルツの超音波で測定されたことを特徴とする、請求項１に記載の鑑別法。
【発明の詳細な説明】
【０００１】
【発明の属する技術分野】
本発明は、見た目の美しさを演出するのに有用な、顔の形状の鑑別法に関する。
【０００２】
【従来の技術】
美しい顔立ちは誰しもが望んで止まないものであるが、その実現は多くの困難が存在する。これは、顔立の美しさを構成する要素が複雑で、且つ、未だ解明し尽くされていないためである。これまでの種々の研究では、例えば、顔の目の印象大きさ、顔の下半部の形状、目の位置、額の広さなどがその要因であることが判明している。しかしながら、例えば顔の下半部の形状等を決定している要因としては、骨格特性などが知られているのみで、これらの顔の形状の形成要素は研究未着手と言っても差し支えないのが現状と言わざるを得ない。即ち、形成要素を踏まえた顔の形状の鑑別法の登場が待たれていた。
【０００３】
一方、超音波を用いて皮下脂肪を測定することは既に行われているが、この方法を用いて測定した顔の皮下脂肪の薄さ（厚さ）が、フェースライン等の顔の形状の美しさと深く関連していることは全く知られていなかった。又、これまでは皮下脂肪層の厚さは厚い方がハリがあるとされており、脂肪層が薄いことが顔の印象形成に好ましいことは何等言われていなかった。即ち、その様なことは認識だにされていなかった。
【０００４】
【発明が解決しようとする課題】
本発明はこの様な状況を踏まえて為されたものであり、顔の形状の形成要素を明らかにし、鑑別する方法を提供することを課題とする。
【０００５】
【課題の解決手段】
本発明者らはこの様な状況を踏まえて、顔の形状の形成要素を明らかにし、鑑別する方法を求めて、鋭意研究を重ねた結果、顔の脂肪層の厚さを指標にすることによりかかる鑑別が可能であることを見いだし、発明を完成させるに至った。以下、本発明について、実施の形態を中心に詳細に説明を加える。
【０００６】
【発明の実施の形態】
本発明のフェースラインの美しさの鑑別法は、フェースライン近傍の皮下脂肪層の厚さを測定し、該皮下脂肪層の厚さが１０ｍｍ以上であるか、または１０ｍｍ未満であるかを指標とすることを特徴とする。本発明の鑑別法では、美しさの大きな要素となっている、顔の下半部の境界線である、いわゆるフェースラインが挙げられる。即ち、フェースラインとは首筋と顔下半部との境界であり、これまでの研究により、このフェースラインの美しさ、明確さが見た目の美人の印象を形成する最も大きな印象であることを既に本発明者らは突き止めている。即ち、このフェースラインの美しさを鑑別しうることにより、見た目の美人の印象をも鑑別しうる。
【０００７】
本発明の構成要素である皮下脂肪層の厚さは、既に知られている方法によって測定することができる。この様な測定方法としては、例えば、皮膚を摘んで皮膚厚をはかる方法や超音波を用いて測定する方法が例示できる。これは、超音波による測定が非破壊的測定であり、何の苦痛も被測定者に与えることなく的確に測定ができるからである。これらの内で最も好ましいものは超音波を用いる方法であり、使用する波長としては５〜３０メガヘ
ルツ、更に好ましくは７．５〜２５メガヘルツを用いて測定すればよい。これは、脂肪層が通常かなり深部にまで及ぶことがあるからである。この様な測定は、一般に市販されている超音波測定装置を使用することにより容易に行うことができる。この様な超音波測定装置は胎児や内臓の非破壊検査の目的で使用されており、その安全性は十分に確保されている。従って、本発明の鑑別法で用いた場合、対象者に悪影響を及ぼすことはない。又、測定部位としては、フェースラインに近い部分、即ち、顎から首筋にかけてがこのましい。かかる測定に於いて、１０ｍｍ以上厚さの脂肪層が存在する場合は、脂肪層が厚いと判断され、この様な場合にはフェースラインは美しいと言えず、逆に１０ｍｍ未満の厚さであれば、脂肪層は薄いと判断され、この様な場合にはフェースラインは美しいと判断される。即ち、本発明の鑑別法では、顔の脂肪層が薄いほどフェースラインの美しい顔であると鑑別する。これは従来言われていたハリは脂肪層が厚いことによって生じるという話とは異なっている。
【０００８】
この様に測定したフェースライン付近の皮下脂肪層の厚さに於いて、１０ｍｍ未満である、美しいフェースラインを有すると鑑別された顔は、見た感じ、即ち、顔の印象に於いて顔が小さいと認識される。これは近年はやりの小顔に相当するものであり、皮下脂肪層の厚さによりフェースラインを鑑別することにより、小顔の程度を鑑別することもできる。
【０００９】
更に、本発明の鑑別法は既に知られている顔の印象形成要素と組み合わせて、顔の鑑別をより確度の高いものにすることに用いることができる。既に知られている顔の印象形成要素としては、例えば、額の広さの印象、目の大きさ印象、口の大きさ印象などが挙げられる。これらの印象形成要素については、メークアップパターンによって印象の形成を変えることが可能であり、これを応用すれば本発明の鑑別法を用いて顔の印象を好ましく見せることも可能である。即ち、フェースラインを明確に見せ、小顔の印象を形成する等のメークアップパターンの指標ともなりうる。
【００１０】
【実施例】
以下に実施例を挙げて本発明について更に詳細に説明を加えるが、本発明がこれら実施例にのみ限定を受けないことは言うまでもない。
【００１１】
＜実施例１＞
任意に選出した年齢２１歳〜４５歳の１０３名の女性パネラーを、フェースラインの明確さを指標に分類し、フェースラインが最も明確に判別しうる人から１０名（明確群）とフェースラインが最も判別しにくい人から１０名（不明確群）を二次選抜した。これらの人についてフェースライン付近の脂肪層の厚さを超音波測定装置（リオン株式会社製、ＵＸ−０２型超音波診断装置）を用い、１５メガヘルツの周波数で測定した。結果を１０名の平均皮下脂肪層の厚さとして表１に示す。この表より本発明の評価法の評価項目である、脂肪層の厚さとフェースラインの明確さは良く一致していることがわかる。即ち、フェースラインのはっきりしている人ほど脂肪層が薄いことがわかる。
【００１２】
【表１】
0003572185.tif 000002
【００１３】
＜実施例２＞
上記の明確群と不明確群について、顔の好ましさを、男女１０名づつの判定者により、＋＋：非常に好ましい、＋：好ましい、±：普通、−：好ましくないの基準で判定してもらった。結果を出現例数として表２に示す。この表より、フェースラインの美しさは印象の好ましさと一致することがわかる。
【００１４】
【表２】
0003572185.tif 000003
【００１５】
＜実施例３＞
上記の明確群と不明確群について、顔の大きさの印象を、男女１０名づつの実施例２と同じ判定者により、＋＋：非常に小顔である、＋：小顔である、±：普通、−：大顔であるの基準で判定してもらった。結果を出現例数として表３に示す。この表より、フェースラインの美しさは印象の好ましさと一致することがわかる。
【００１６】
【表３】
0003572185.tif 000004
【００１７】
＜実施例４＞
代表的なフェースラインの美しい明確な人の皮下脂肪層を測定した。測定は実施例１と同様に行った。皮下脂肪層の厚さは７．２ｍｍであった。この測定図を図１に示す。
【００１８】
＜実施例５＞
代表的なフェースラインの不明確な人の皮下脂肪層を測定した。測定は実施例１と同様に行った。皮下脂肪層の厚さは１５．２ｍｍであった。この測定図を図２に示す。
【００１９】
【発明の効果】
本発明によれば、フェースラインの形成要素を明らかにし、顎から首筋にかけてのフェースラインの美しさを鑑別する方法を提供することができる。
【図面の簡単な説明】
【図１】実施例４の皮下脂肪の超音波測定を表す図である。
【図２】実施例５の皮下脂肪の超音波測定を表す図である。
【図１】
0003572185.tif 000005
【図２】
0003572185.tif 000006